(57)【要約】【課題】  本発明の課題は、短時間で容器内の飲料温度を上昇させることができる容器熱処理装置を提供することである。【解決手段】  本発明の容器熱処理装置１は、樽容器Ｓを搬送するコンベア３と、コンベア３により搬送される樽容器Ｓの移動を案内する案内部５と、案内部５に沿って移動する樽容器Ｓに向けて温水を吹き付ける噴射ノズル９とを備えており、噴射ノズル９は樽容器Ｓの胴部又は下面に向けて温水を吹き付けて樽容器Ｓ内の温度を上昇させている。【選択図】      図１
2006008158.tif 000002
【特許請求の範囲】
【請求項１】
容器を搬送するコンベアと、コンベアにより搬送される容器の移動を案内する案内部と、案内部に沿って移動する容器に向けて温水を吹き付ける噴射ノズルとを備え、噴射ノズルは容器の胴部又は下面に向けて温水を吹き付けていることを特徴とする容器熱処理装置。
【請求項２】
噴射ノズルは容器の胴部側面略中央よりも下側に温水を吹き付けていることを特徴とする請求項１に記載の容器熱処理装置。
【請求項３】
案内部は容器に摺接する案内面を有し、案内面はコンベアに対して交差する方向に設けており、容器が自転しつつ搬送されることを特徴とする請求項１又は２に記載の容器熱処理装置。
【請求項４】
案内部は２つの案内部材間に搬送通路を形成しており、搬送通路はコンベアの搬送方向に対して蛇行していることを特徴とする請求項３に記載の容器熱処理装置。
【請求項５】
搬送方向の下流側には容器の上方から容器に向けて空気を吹き付け、容器表面の水滴を除去する空気吹出口が設けられていることを特徴とする請求項１〜４の何れか一項に記載の容器熱処理装置。
【発明の詳細な説明】
【技術分野】
【０００１】
本発明は短時間で容器内の飲料温度を上昇させることができる容器熱処理装置に関する。
【背景技術】
【０００２】
従来、容器内の飲料が冷たい状態で箱詰めされると、次第に容器内の飲料の温度が上昇して容器の外表面に結露が発生するという問題があった。
【０００３】
かかる結露を防止するため特許文献１には、搬送されてくる容器の上方に噴射ノズルを備え、容器の上部に温水を吹き付ける方法が開示されている。
【０００４】
【特許文献１】特開平８−３２２５２８号公報
【発明の開示】
【発明が解決しようとする課題】
【０００５】
しかし、上記の特許文献１に記載の従来技術では、容器の上方に温水を吹き付けるので、温められた液体は比重が軽くなり、冷たい液体は容器内の下方に滞留したままになりやすい。従って、飲料全体の温度が上昇しにくく、容器に向けて温水を吹き付ける時間を長くしなければならないという問題がある。
【０００６】
本発明は、短時間で容器内の飲料温度を上昇させることができる容器熱処理装置を提供することを目的とする。
【課題を解決するための手段】
【０００７】
前記課題を解決するために、請求項１に記載された発明は、容器を搬送するコンベアと、コンベアにより搬送される容器の移動を案内する案内部と、案内部に沿って移動する容器に向けて温水を吹き付ける噴射ノズルとを備え、噴射ノズルは容器の胴部又は下面に向けて温水を吹き付けていることを特徴とする。
【０００８】
請求項２に記載された発明は、請求項１に記載の発明において、噴射ノズルは容器の胴部側面略中央よりも下側に温水を吹き付けていることを特徴とする。
【０００９】
請求項３に記載された発明は、請求項１又は２に記載の発明において、案内部は容器に摺接する案内面を有し、案内面はコンベアに対して交差する方向に設けており、容器が自転しつつ搬送されることを特徴とする。
【００１０】
請求項４に記載された発明は、請求項３に記載の発明において、案内部は２つの案内部材間に搬送通路を形成しており、搬送通路はコンベアの搬送方向に対して蛇行していることを特徴とする。
【００１１】
請求項５に記載された発明は、請求項１〜４の何れか一項に記載の発明において、搬送方向の下流側には容器の上方から容器に向けて空気を吹き付け、容器表面の水滴を除去する空気吹出口が設けられていることを特徴とする。
【発明の効果】
【００１２】
請求項１に記載の発明によれば、案内部に沿って移動する容器の胴部又は下面に向けて温水を吹き付けているので、温められた飲料が下方から上方に移動するので、容器内で飲料が対流しやすく、容器内の飲料温度を短期間で上昇させることができる。
【００１３】
請求項２に記載された発明によれば、請求項１に記載された発明と同様の効果が得られると共に、容器の胴部側面略中央よりも下側に温水を吹き付けるので、例えば容器の下面に温水を吹き付ける場合のように、噴射ノズルの設置の際にコンベアが邪魔になることがなく、設置が簡単である。
【００１４】
請求項３に記載された発明によれば、請求項１又は２に記載された発明と同様の効果が得られると共に、コンベアに対して案内部が斜めに設けられているので、案内部を移動する容器は自転して、容器内の飲料が攪拌され易く、容器内の熱対流を促進でき、容器内の飲料温度を効果的に上昇させることができる。
【００１５】
請求項４に記載された発明によれば、請求項３に記載された発明と同様の効果が得られると共に、搬送通路は搬送方向に対して蛇行しているので、容器は搬送方向上流側の一方の案内部材に摺接して一方向に回転しつつ搬送されると共に搬送方向下流側の他方の案内部材に摺接して他方向に回転しつつ搬送されるので、一方向の流れと他方向の流れとの繰り返しにより、容器内の飲料がさらに効果的に攪拌されるので、容器内の飲料をさらに短期間に温めることができる。
【００１６】
請求項５に記載された発明によれば、請求項１〜４の何れか一項に記載された発明と同様の効果が得られると共に、容器上方から空気を吹き付けることで、容器表面の水滴を吹き飛ばすと共に重力を利用して水滴を落下させることができる。
【発明を実施するための最良の形態】
【００１７】
以下に、添付図面を参照して、本発明の実施の形態を詳細に説明する。図１は図３に示す容器熱処理装置のＡ−Ａ断面図、図２は図３に示す容器熱処理装置のＢ−Ｂ断面図であり、図３は本実施の形態に係る容器熱処理装置の全体を示す平面図である。
【００１８】
本実施の形態に係る容器熱処理装置１は、ビールを充填した樽容器（容器）Ｓを温めて、飲料温度を上昇させることで樽容器表面に結露が発生するのを防止するものである。
【００１９】
容器熱処理装置１は、図３に示すように樽容器Ｓを搬送するコンベア３と、コンベア３により搬送される樽容器Ｓの移動を案内する案内部５とを備えている。案内部５は左右２つの案内部材７、７間に樽容器Ｓの搬送通路Ｔを形成していると共に、樽容器Ｓを受けて案内面５ａに沿って移動を案内している。また、案内部材７は搬送方向に対して蛇行して設けられており、樽容器Ｓは搬送方向上流側の一方の案内部材７ａに摺接して正転方向（一方向、図中Ｃで示す）に回転しつつ搬送されると共に搬送方向下流側の他方の案内部材７ｂに摺接して逆転方向（他方向、図中Ｄで示す）に回転しつつ搬送されるようになっている。
【００２０】
案内部材７には搬送通路Ｔを移動する樽容器Ｓに向けて温水を吹き付ける噴射ノズル９を搬送方向に沿って複数備えており、噴射ノズル９は樽容器Ｓの胴部側面１０に向けて温水を吹き付けるようになっている。また、噴射ノズル９は樽容器Ｓの両側に配置されており、左右の噴射ノズル９は搬送方向に沿って、それぞれ互い違いになるように配置されている。噴射ノズル９は容器の胴部側面１０の上側に対して温水を吹き付ける上側ノズル９ａと、樽容器Ｓの胴部側面１０の下側に対して温水を吹き付ける下側ノズル９ｂとを備えている。尚、噴射ノズル９は搬送方向に対して直交する方向に設けられた枝管１１に接続されており、さらに枝管１１は搬送方向に沿って配置された配水管１３に接続され、配水管１３及び枝管１１を通って噴射ノズル９に温水が供給されるようになっている。
【００２１】
搬送方向の下流側には上方から樽容器Ｓに向けて空気を吹き付け、樽容器Ｓ表面の水滴を除去する空気吹出口１５が設けられており、図示しないエアタンクから送られてきた圧縮空気が搬送方向に対して直交する方向に設けられた空気供給管１７を通って空気吹出口１５から噴出すようになっている。
【００２２】
このように、樽容器Ｓの上方から空気を吹き付けることで、樽容器表面の水滴を吹き飛ばすと共に重力を利用して水滴を落下させることができるようになっている。
【００２３】
次に、本実施の形態に係る作用を説明する。ビールの充填工程から搬送されてきた樽容器Ｓはそれぞれの搬送通路Ｔに振り分けられ、コンベア３により下流側に向けて搬送される。案内部５に案内されて移動する樽容器Ｓには、胴部側面１０に向けて上側ノズル９ａ及び下側ノズル９ｂから温水が吹き付けられ、樽容器Ｓ内の飲料温度が上昇する。
【００２４】
尚、搬送通路Ｔは搬送方向に対して蛇行して設けられており、樽容器Ｓは搬送方向上流側の一方の案内部材７ａに摺接して正転方向（図中Ｃで示す）に回転しつつ搬送されると共に搬送方向下流側の他方の案内部材７ｂに摺接して逆転方向（図中Ｄで示す）に回転しつつ搬送される。樽容器Ｓは搬送方向の下流側において、樽容器Ｓ上方の空気吹出口１５から樽容器Ｓに向けて空気が吹き付けられ、樽容器表面の水滴が除去される。水滴が除去された樽容器Ｓは箱詰め工程へ搬送される。
【００２５】
案内部７に沿って移動する樽容器Ｓの胴部側面１０に向けて温水を吹き付けているので、温められた飲料が下方から上方に移動するので、樽容器Ｓ内で飲料が対流しやすく、樽容器Ｓ内の飲料温度を短期間で上昇させることができる。また、樽容器Ｓの下面に温水を吹き付ける場合のように、噴射ノズル９の設置の際にコンベア３が邪魔になることがなく、噴射ノズル９の設置が簡単である。
【００２６】
また、搬送通路Ｔは搬送方向に対して蛇行して設けられているので、樽容器Ｓは搬送方向上流側の一方の案内部材７ａに摺接して正転方向に回転しつつ搬送されると共に搬送方向下流側の他方の案内部材に摺接して逆転方向に回転しつつ搬送されるので、正転方向の流れと逆転方向の流れとの繰り返しにより、樽容器Ｓ内の飲料がさらに効果的に攪拌されるので、樽容器Ｓ内の飲料をさらに短期間に温めることができる。
【００２７】
尚、本発明は上述した実施の形態に限定されず、その要旨を逸脱しない範囲で種々の変形が可能である。
【００２８】
本実施の形態では、容器としてビールの樽容器Ｓを用いたが、びん容器、ＰＥＴ容器、缶容器であっても良い。
【００２９】
噴射ノズル９は樽容器Ｓの胴部側面１０に温水を吹き付けるようにしたが、樽容器Ｓの下面に向けて温水を吹き付けるようにしても良い。
【図面の簡単な説明】
【００３０】
【図１】図３に示す容器熱処理装置のＡ−Ａ断面図である。
【図２】図３に示す容器熱処理装置のＢ−Ｂ断面図である。
【図３】本実施の形態に係る容器熱処理装置の全体を示す平面図である。
【符号の説明】
【００３１】
１      容器熱処理装置
３      コンベア
５      案内部
５ａ    案内面
７      案内部材
９      噴射ノズル
１５    空気吹出口
【図１】
2006008158.tif 000003
【図２】
2006008158.tif 000004
【図３】
2006008158.tif 000005